(57)【特許請求の範囲】
【請求項１】
装置の制御に必要な制御電力を出力する第１の電源と、装置の動作に必要な動作電力を出力する第２の電源とを備えた電気装置であって、
前記第１の電源は、前記電気装置の待機時に必要な制御電力を出力する第１の出力端子と、前記電気装置の通常時に必要な制御電力を出力する第２の出力端子と、当該第２の出力端子への通電をオン、オフするスイッチ素子とを有し、
前記第２の電源は、前記電気装置の通常時に必要な動作電力を出力する第３の出力端子と、前記第２の出力端子の電圧を入力する入力端とを有し、
前記電気装置を前記待機時から前記通常時に移行させるときに、前記スイッチ素子をオンし、その際に、前記入力端に入力される前記第２の出力端子の電圧により、前記第２の電源を立ち上げることを特徴とする電気装置。
【発明の詳細な説明】
【０００１】
【発明の属する技術分野】
本発明は、特にスイッチングレギュレータを使用する装置に適し、省エネルギー化を図った電気装置に関するものである。
【０００２】
【従来の技術】
スイッチングレギュレータを使用する装置においては、装置の機能を使用していない状態、所謂待機状態などにできるだけ無駄な電力を消費しないように工夫されつつあり、外国においては省エネルギー化が法律で規定されているところもある。この省エネルギー化を進める上で考慮すべき点は、次の３点である。
【０００３】
▲１▼小電力（主に数十Ｗあるいは数Ｗ以下）下での装置の高効率化
▲２▼低コスト化
▲３▼使用していない出力系統の切り方
図３は以上の点を踏まえ、特に▲３▼の点を考慮して省エネルギー化を図った装置の要部を示す構成図である。同図中、１は第１のスイッチングレギュレータ装置で、不図示の装置本体側に制御用の出力Ｖｏ１を供給し、またスイッチ素子ＳＷ１を介して出力Ｖｏ２を供給する。２は第２のスイッチングレギュレータ装置で、動作用の出力Ｖｏ３を供給する。
【０００４】
上記スイッチ素子ＳＷ１は第２のスイッチングレギュレータ装置２からのオン（ＯＮ）／オフ（ＯＦＦ）のトリガ信号により制御され、装置の動作時には導通状態となって第１のスイッチングレギュレータ装置１から制御に必要な電力が供給される。そして、この通常動作状態から待機状態に移行したとき、例えば装置の機能がある程度の時間がたっても使用されない状態が続いたとき、スイッチ素子ＳＷ１は不導通状態となる。これにより、第２のスイッチングレギュレータ装置２からの動作用の出力Ｖｏ３とともに第１のスイッチングレギュレータ装置１からの制御用の出力Ｖｏ２の供給が停止され、待機状態で必要な最小限の出力Ｖｏ１のみが供給された状態となる。
【０００５】
図４は上記の装置における出力の立ち上がりの様子を示したものである。同図の（ａ）は第２のスイッチングレギュレータ装置２からのトリガ（ＴＲＧ）信号より少し遅れて制御用の出力Ｖｏ２が立ち上がる場合、同図の（ｂ）はトリガ信号と同時に出力Ｖｏ２が立ち上がる場合をそれぞれ示している。
【０００６】
【発明が解決しようとする課題】
ところで、上記のような構成の装置にあっては、待機時に無駄な消費電力が発生することはないが、トリガ信号が出力されてからスイッチ素子が導通するまで時間がかかり、待機状態から通常動作状態に移行する際に先に制御用の出力Ｖｏ２が立ち上がってから次に動作用の出力Ｖｏ３が立ち上がらないと誤動作が生じる場合があるという問題点があった。
【０００７】
本発明は、上記のような問題点に着目してなされたもので、簡易且つ安価な構成で、省エネルギー化が促進されるとともに、誤動作が生じることなく、安全な電気装置を得ることを目的としている。
【０００８】
【課題を解決するための手段】
上記目的を達成するため、本発明では、電気装置をつぎの（１）のとおりに構成する。
（１）装置の制御に必要な制御電力を出力する第１の電源と、装置の動作に必要な動作電力を出力する第２の電源とを備えた電気装置であって、
前記第１の電源は、前記電気装置の待機時に必要な制御電力を出力する第１の出力端子と、前記電気装置の通常時に必要な制御電力を出力する第２の出力端子と、当該第２の出力端子への通電をオン、オフするスイッチ素子とを有し、
前記第２の電源は、前記電気装置の通常時に必要な動作電力を出力する第３の出力端子と、前記第２の出力端子の電圧を入力する入力端とを有し、
前記電気装置を前記待機時から前記通常時に移行させるときに、前記スイッチ素子をオンし、その際に、前記入力端に入力される前記第２の出力端子の電圧により、前記第２の電源を立ち上げる電気装置。
【００１３】
【発明の実施の形態】
図１は本発明の実施例の構成を示す図である。本実施例の装置は、図３の装置と同様、制御システムを構成する第１のスイッチングレギュレータ装置（第１の電源）１と、機能動作システムを構成する第２のスイッチングレギュレータ装置（第２の電源）２とを備えている。また、第１のスイッチングレギュレータ装置１と制御部（図示せず）との間に介装されたスイッチ素子ＳＷ１を有しており、このスイッチ素子ＳＷ１の出力により第２のスイッチングレギュレータ装置２のオン／オフが制御されるようになっている。
【００１４】
上記第１及び第２のスイッチングレギュレータ装置１，２は、ＡＣ入力，ＤＣ入力の何れであっても良い。またスイッチ素子ＳＷ１は、リレー，ＭＯＳＦＥＴ，サイリスタ，トランジスタ，トライアック等から構成される一般的なものである。
【００１５】
また、第１，第２のスイッチングレギュレータ装置１，２から不図示の装置本体側に直流電圧の出力Ｖｏ１，Ｖｏ２，Ｖｏ３が供給される。出力Ｖｏ１は所定の制御のみに必要な制御電力、つまり待機時に必要な最小限の電力で、常時制御部に出力されている。出力Ｖｏ２は装置の動作状態で制御部に必要な電力で、装置の機能が使用されていない待機時には出力されない。出力Ｖｏ３は装置の機能動作（運転）に必要な動作電力で、待機時には第２のスイッチングレギュレータ装置２が停止して出力されない。
【００１６】
本実施例では、省エネルギー化と同時に装置の誤動作を防止する目的で、常時必要な出力とそうでない出力のシーケンス制御を行っており、待機時から通常動作時に移行する際にまず制御用の出力Ｖｏ２が立ち上がってからその出力の信号により、次に動作用の出力Ｖｏ３が立ち上がるように制御している。
【００１７】
すなわち、装置が使用状態に入るときに該装置からのトリガ信号によりスイッチ素子ＳＷ１を導通させ、第１のスイッチングレギュレータ装置１の出力の一部をスイッチ素子ＳＷ１を通して出力Ｖｏ２として制御部に供給すると同時に、第２のスイッチングレギュレータ装置２の出力Ｖｏ３を機能部に供給する。また、装置が待機状態に入るときはスイッチ素子ＳＷ１を不導通にすることによって、出力Ｖｏ２の停止と同時に出力Ｖｏ３も停止する。
【００１８】
図２は本実施例の出力の立ち上がりの様子を示したものである。出力Ｖｏ１は常時供給されており、動作開始時にトリガ信号によりスイッチ素子ＳＷ１が導通すると、まず出力Ｖｏ２が供給され、その後に出力Ｖｏ３が供給される。また通常動作状態から待機状態に入るとき、例えば装置が決められた時間に達しても使用されないときは、スイッチ素子ＳＷ１が不導通となり、上述のように不要な出力Ｖｏ２，Ｖｏ３の供給が停止される。
【００１９】
このように、本実施例ではスイッチ素子ＳＷ１を用いた簡易且つ安価な構成で、省エネルギー化の促進を図ると同時に、装置の誤動作を防止することができる。
【００２０】
【発明の効果】
以上のように、本発明によれば、簡易且つ安価な構成で、無駄な消費電力がなくなり、省エネルギー化が促進されるとともに、制御用の電力が供給されてから動作用の電力が供給されるので、誤動作が確実に防止され、信頼性が向上するという効果がある。
【図面の簡単な説明】
【図１】  本発明の実施例を示す構成図
【図２】  実施例の出力の立ち上がりを示す説明図
【図３】  従来例を示す構成図
【図４】  従来例の出力の立ち上がりを示す説明図
【符号の説明】
１  第１のスイッチングレギュレータ装置
２  第２のスイッチングレギュレータ装置
ＳＷ１  スイッチ素子
【図１】
0004393606.tif 000002
【図２】
0004393606.tif 000003
【図３】
0004393606.tif 000004
【図４】
0004393606.tif 000005